(57)【要約】【課題】簡易かつ低廉な構成によって、回転体１８の固定を良好に行わせることを可能とする。【解決手段】押え部材２２と回転体１８との間に介在させた回り止め部材２１を、ロータ部材１４側に対して適宜の固定手段２１ａにより固定し、固定用ネジ手段２３を締め付けたことによって押え部材２２が固定用ネジ手段２３と共に連れ回って回転することがあっても回り止め部材２１を不動状態に維持し、その回り止め部材２１に圧接する回転体１８の回転移動を確実に防止し、当該回転体１８の位置ズレを生じることがないようにしたもの。【選択図】　　　図１
2004104972.tif 000002
【特許請求の範囲】
【請求項１】
ロータ部材に装着された回転体に当接する押え部材が、上記ロータ部材に螺着された固定用ネジ手段により軸方向に押圧され、その押え部材からの軸方向押圧力によって前記回転体が固定されるように構成されたモータの回転体固定装置において、
上記ロータ部材に対して適宜の固定手段により固定された回り止め部材が設けられ、
その回り止め部材には、前記押え部材と回転体との間に介在して上記回転体の表面と適宜の面積をもって面状に接触する環状圧接部が設けられ、
その回り止め部材の環状圧接部を通して、前記押え部材からの軸方向押圧力が前記回転体に作用することにより上記回転体の固定が行われていることを特徴とするモータの回転体固定装置。
【請求項２】
前記回り止め部材に、適宜のバランス部材を取り付ける環状平面部が設けられているとともに、
その環状平面部の外周側部分には、上記バランス部材の飛散を防止する環状立壁部が設けられていることを特徴とする請求項１記載のモータの回転体固定装置。
【請求項３】
前記固定用ネジ手段が、前記ロータ部材の回転中心軸に沿って螺着された１本の固定ネジを有することを特徴とする請求項１記載のモータの回転体固定装置。
【請求項４】
前記押え部材は、略皿形状をなすように形成され、前記固定用ネジ手段により軸方向に押え込まれた円盤状の底部と、当該底部の外周部に環状に立設されて、その立設端面が前記回り止め部材側に圧接された押えフランジ部と、を有していることを特徴とする請求項１記載のモータの回転体固定装置。
【請求項５】
前記回り止め部材のロータ部材側への固定手段が、圧入手段からなることを特徴とする請求項１記載のモータの回転体固定装置。
【請求項６】
前記回り止め部材の圧入部位には、圧入方向の前方に向かって拡径するように開口するテーパ状ガイド部が設けられていることを特徴とする請求項５記載のモータの回転体固定装置。
【請求項７】
前記回り止め部材の環状圧接部より外周側の部分が、ロータ部材の表面から軸方向に離間して適宜の隙間をなして延在していることを特徴とする請求項１記載のモータの回転体固定装置。
【請求項８】
前記回転体が、２００００ｒｐｍ以上の回転数で駆動されるように構成されていることを特徴とする請求項１乃至請求項７のいずれかに記載のモータの回転体固定装置。
【請求項９】
前記回転体が、光学的偏向装置の偏向ポリゴンミラーであることを特徴とする請求項１乃至請求項８のいずれかに記載のモータの回転体固定装置。
【発明の詳細な説明】
【０００１】
【発明の属する技術分野】
本発明は、ロータ部材に螺着された固定用ネジ手段の締め付け力によって押え部材を軸方向に押圧し、その押え部材の軸方向押圧力によって回転体の固定を行うようにしたモータの回転体固定装置に関する。
【０００２】
【従来の技術】
モータに設けられたロータ部材には、様々な回転体が装着・固定されて回転駆動されているが、その回転体を軸方向の押え部材により固定するように構成されたモータの回転体固定装置が知られている。例えば、図５に示されているような光学的偏向装置の偏向ポリゴンミラー１を高速回転させるためのモータでは、ロータ部材２側に、回転体としての偏向ポリゴンミラー１が軸方向に挿通されるようにして装着されているとともに、そのポリゴンミラー１の図示上側の表面に、略皿状をなす押え部材３の開口縁部に形成された押え部３ａが軸方向に当接されている。
【０００３】
一方、上記ロータ部材２の中心位置には固定用ネジ４が螺着されており、その固定用ネジ４の締め付け力によって上記押え部材３の全体が軸方向に押圧され、その押え部材３の軸方向押圧力によって上記偏向ポリゴンミラー１がロータ部材２側の受け面２ａ上に強く押し付けられ、それにより当該偏向ポリゴンミラー１の固定が行われるようになっている。
【０００４】
【発明が解決しようとする課題】
ところが、上述したような従来における回転体の固定装置では、固定用ネジ４を回転させて締め付けた際に、その固定用ネジ４と共に押え部材３の全体が連れ回ることがあり、そのために、偏向ポリゴンミラー１の表面が損傷したり、装着状態が傾斜した状態で固定されてしまい、いわゆる面倒れが悪い状態になってしまうおそれがある。
【０００５】
さらに、固定用ネジ４からの軸方向押圧力によって押え部材３の全体が変形した状態で撓んでしまいこともある。このような場合には、偏向ポリゴンミラー１の表面に当接する押え部３ａが線又は点で接触した状態となり、固定用ネジ４をいくら締め付けても偏向ポリゴンミラー１の固定が十分に行われるなくなって、不動状態に固定したはずの偏向ポリゴンミラー１が回転移動してしまい、位置ズレを起こすおそれもある。
【０００６】
そこで本発明は、簡易かつ低廉な構成によって、回転体の固定を良好に行わせることができるようにしたモータの回転体固定装置を提供することを目的とする。
【０００７】
【課題を解決するための手段】
上記課題を解決するために、本発明の請求項１にかかるモータの回転体固定装置では、ロータ部材に対して適宜の固定手段により固定された回り止め部材が設けられ、その回り止め部材には、前記押え部材と回転体との間に介在して上記回転体の表面と適宜の面積をもって面状に接触する環状圧接部が設けられ、その回り止め部材の環状圧接部を通して、前記押え部材からの軸方向押圧力が前記回転体に作用することにより上記回転体の固定が行われている。
このような構成を有するモータの回転体固定装置においては、押え部材と回転体のとの間に介在された回り止め部材が、ロータ部材側に適宜の固定手段により固定されていることから、もし仮に、固定用ネジ手段を締め付けたことによって押え部材が固定用ネジ手段と共に連れ回って回転移動することがあっても、上述した回り止め部材は不動状態に維持されることとなるから、その回り止め部材に圧接する回転体の回転移動も確実になくなり、当該回転体の位置ズレが良好に防止されるようになっている。
【０００８】
また、本発明の請求項２にかかるモータの回転体固定装置では、上記請求項１における回り止め部材に、適宜のバランス部材を取り付ける環状平面部が設けられているとともに、その環状平面部の外周側部分には、上記バランス部材の飛散を防止する環状立壁部が設けられていることから、接着剤等からなるバランス部材の取付が容易に行われるとともに、そのバランス材の取付後における外部飛散が確実に防止されるようになっている。
【０００９】
さらに、本発明の請求項３にかかるモータの回転体固定装置では、上記請求項１における固定用ネジ手段が、ロータ部材の回転中心軸に沿って螺着された１本の固定ネジを有する。
すなわち、この請求項３にかかるモータの回転体固定装置のように、固定用ネジ手段が１本の固定ネジである場合には、固定作業が極めて容易かつ能率的に行われる反面、固定ネジの締め方向に回転体が回転移動し易くなってしまう。しかしながら本発明によれば、上述したように、回り止め部材は常時不動の状態に維持されて回転体の回転移動が確実に防止されることから、特に１本の固定ネジによる固定が行われる際においては極めて良好な作用が得られる。
【００１０】
さらにまた、本発明の請求項４にかかるモータの回転体固定装置では、上記請求項１における押え部材が略皿形状をなすように形成され、固定用ネジ手段により軸方向に押え込まれた円盤状の底部と、当該底部の外周部に環状に立設されて、その立設端面が前記回り止め部材側に圧接された押えフランジ部と、を有している。
このような構成を有するモータの回転体固定装置においては、略皿形状の押え部材によって簡易な固定構造とすることが可能となる。
【００１１】
一方、本発明の請求項５にかかるモータの回転体固定装置では、上記請求項１における回り止め部材のロータ部材側への固定手段が、圧入手段からなることから、回り止め部材が、簡易な固定手段によって良好に固定されるようになっている。
【００１２】
また、本発明の請求項６にかかるモータの回転体固定装置では、上記請求項５における回り止め部材の圧入部位に、圧入方向の前方に向かって拡径するように開口するテーパ状ガイド部が設けられている。
つまり、この請求項６にかかるモータの回転体固定装置のように、回り止め部材を圧入するにあたってテーパ状ガイド部が設けられていれば、そのテーパ状ガイド部による案内作用によって回り止め部材が容易かつ高精度に挿通されるようになっている。
【００１３】
さらに、本発明の請求項７にかかるモータの回転体固定装置では、上記請求項１における回り止め部材の環状圧接部より外周側の部分が、ロータ部材の表面から軸方向に離間して適宜の隙間をなして延在している。
つまり、この請求項７にかかるモータの回転体固定装置のように、回り止め部材の外周側部分に隙間が設けられていれば、回り止め部材の着脱などに用いられる治具が、隙間を利用して容易に使用されるようになっている。
【００１４】
さらにまた、本発明の請求項８にかかるモータの回転体固定装置では、上記請求項１乃至請求項７における回転体が２００００ｒｐｍ以上の回転数で駆動されるように構成されている。
つまり、この請求項８にかかるモータの回転体固定装置のように、回転体が高速回転される場合には、回転体の固定精度が特に必要になってくるが、本発明によれば、上述したように、回り止め部材によって回転体が精度良く固定されることから、特に回転体が高速回転される場合においては極めて良好な作用が得られる。
【００１５】
また、本発明の請求項９にかかるモータの回転体固定装置では、上記請求項１乃至請求項８のいずれかにおける回転体が、光学的偏向装置の偏向ポリゴンミラーである。
つまり、この請求項９にかかるモータの回転体固定装置のように、回転体が偏向ポリゴンミラーである場合には、偏向ポリゴンミラーの固定精度が特に必要になってくるが、本発明によれば、上述したように、回り止め部材によって偏向ポリゴンミラーが精度良く固定されることから、特に回転体が偏向ポリゴンミラーである場合においては極めて良好な作用が得られる。
【００１６】
【発明の実施の形態】
以下、本発明の実施の形態を図面に基づいて詳細に説明するが、それに先立って、本発明を適用した光偏向装置におけるポリゴン駆動用モータの構造例を説明しておく。
【００１７】
図１に示されているように、プリント基板を兼用するモータ基板１１の略中央部分には、略中空円筒状をなす軸受ホルダー（図示省略）が略垂直に立設するようにして取り付けられており、その軸受ホルダーの内周壁面側に、空気動圧を利用した動圧軸受部材としての軸受スリーブ１２が、圧入又は焼嵌めなどの締嵌めによって接合されている。この軸受スリーブ１２は、小径の孔加工等を容易化するためにリン青銅などの銅系材料から形成された中空円筒状部材からなり、当該軸受スリーブ１２に貫通形成された中心孔内に、ロータ部を構成している中空円筒状の回転軸１３が回転自在に挿入されている。
【００１８】
上記軸受スリーブ１２の内周壁部に形成された動圧面は、前記回転軸１３の外周壁面に形成された動圧面に対して半径方向に微小隙間を介して対向するように配置されており、その微小隙間部分にラジアル動圧軸受部ＲＢが構成されている。すなわち、上記ラジアル動圧軸受部ＲＢにおける軸受スリーブ１２側の動圧面と、回転軸１３側の動圧面とは、数μｍの微少隙間を介して周状に対向配置されており、その微少隙間からなる軸受空間内に潤滑流体としての空気（エアー）が介在されている。
【００１９】
そして、上記軸受スリーブ１２及び回転軸１３の両動圧面のうちの少なくとも一方側には、適宜の溝形状からなるラジアル動圧発生用溝（図示省略）が環状に並列されるようにして凹設されており、回転時に、当該ラジアル動圧発生用溝のポンピング作用により潤滑流体としての空気（エアー）が加圧されて動圧を生じ、その潤滑流体としての空気（エアー）の動圧によって、上記回転軸１３とともに後述するロータ部材１４が、上記軸受スリーブ１２に対してラジアル方向に非接触状態で軸支持される構成になされている。
【００２０】
一方、上記軸受スリーブ１２が前記モータ基板１１から図示上方側に向かって突出している部位には、電磁鋼板の積層体からなるステータコア１５が、上記軸受ホルダーの外周側の取付面に対して軸方向に嵌着されているとともに、そのステータコア１５に、半径方向外方側に向かって放射状に突出するように設けられた複数個の各突極部に対してコイル巻線１６がそれぞれ巻回されている。
【００２１】
さらに、上記回転軸１３が前記軸受スリーブ１２から図示上方側に向かって突出した出力部分には、アルミニウム合金から形成されたロータ部材１４の中心ボス部１４ａが、上記回転軸１３に対して圧入または焼き嵌めなどの締嵌め工程を通して固着されている。この中心ボス部１４ａは、略円盤状をなすように形成されており、当該中心ボス部１４ａの図示下端側部分には、略皿形状に形成されたロータケース本体部１４ｂが、半径方向外方側に向かって張り出すように同心状に連設されている。そして、そのロータケース本体部１４ｂの外周側部分に設けられたフランジ状立壁の内周壁面には、リング状のロータマグネット１７が環状に装着されている。このロータマグネット１７の内周壁面は、上述したステータコア１５の各突極部の外端面に対して、半径方向に近接対向するように配置されている。
【００２２】
一方、前述したロータ部材１４の中心ボス部１４ａの回転中心部分には、階段状をなして図示上方側に突出する円盤状のミラー装着用胴部１４ｃが一体的に設けられており、そのミラー装着用胴部１４ｃの外周側壁面に、光情報の偏向走査を行うための偏向ポリゴンミラー（回転体）１８の中心穴が軸方向に挿通されるようにして装着されている。この偏向ポリゴンミラー１８は、次に述べるような回転体固定装置２０によってロータ部材１４側に固定されており、その回転体固定装置２０による強固な固定力によって、２００００ｒｐｍ以上の高速回転数に十分に耐えられる高精度な固定構造になされている。
【００２３】
すなわち、上記回転体固定装置２０においては、特に図２に示されているように、まず上述したロータ部材１４のミラー装着用胴部１４ｃの図示上側に、階段状をなして図示上方側に向かって突出する小径円盤状のミラー固定用胴部１４ｄが一体的に形成されており、そのミラー固定用胴部１４ｄの外周壁面に対して、略皿状をなすように形成された回り止め部材２１が取り付けられている。より詳細には、上記回り止め部材２１の中心部分には、中空円筒状の圧入用フランジ部２１ａが軸方向に延在するように設けられており、その圧入用フランジ部２１ａが、上記ミラー固定用胴部１４ｄの外周壁面に軽圧入状態にて挿通されることによって、回り止め部材２１の全体が簡易かつ確実に固着されている。
【００２４】
このとき、上記回り止め部材２１の圧入部位には、テーパ状ガイド部２１ｂが設けられている。このテーパ状ガイド部２１ｂは、回り止め部材２１の圧入方向の前端部分（図示下端部分）側の開口を、半径方向外方側に拡径するようにして形成されており、回り止め部材２１をロータ部材１４側に圧入するにあたって、そのテーパ状ガイド部による案内作用により回り止め部材２１が容易に、しかも傾斜することなく高精度に挿通されるようになっている。
【００２５】
また、上述した圧入用フランジ部２１ａの図示下端部分からは、円盤状の内周側環状圧接部２１ｃが半径方向外方に向かって一体的に延出しており、その内周側環状圧接部２１ｃが、上述した回転体としての偏向ポリゴンミラー１８の図示上面側に対して、適宜の環状面積をもって面状に接触している。
【００２６】
さらに、上記内周側環状圧接部２１ｃの外周側には、軸方向の段差２１ｄを介して外周側環状平面部２１ｅが連設されている。この外周側環状平面部２１ｅは、上述した偏向ポリゴンミラー１８の図示上面側から上記段差２１ｄの高さに相当する分だけ軸方向に離間しており、偏向ポリゴンミラー１８の図示上面側との間に適宜の隙間を介して半径方向外方に向かって延在している。このように回り止め部材２１の外周側部分に隙間が設けられていれば、回り止め部材２１の着脱などに用いられる治具が、上述した隙間を利用して容易に使用されることとなり都合がよい。
【００２７】
また、上述した外周側環状平面部２１ｅの最外周部分には、フランジ状の環状立壁部２１ｆが、軸方向（図示上方向）に向かって一体的に延出するように立設されている。このとき、上述した本実施形態における外周側環状平面部２１ｅは、接着剤等のバランス部材（図示省略）を取り付けるためのバランス装着部として設けられており、この外周側環状平面部２１ｅの図示上面側に装着されたバランス部材が、当該外周側環状平面部２１ｅと上記環状立壁部２１ｆとによって画成された環状の空間内に保持され、回転遠心力によってバランス部材が外部飛散しようとしても、上記環状立壁部２１ｆの内周壁面によって外部飛散が良好に防止されるようになっている。
【００２８】
一方、このような構造になされた回り止め部材２１に対して、図示上方側から押え部材２２が軸方向に当接するように設けられている。この押え部材２２は略皿形状に形成されており、円盤状の底部２２ａと、その底部２２ａの外周部において軸方向（図示下方向）に立設された環状の押えフランジ部２２ｂとを有している。そして、その押えフランジ部２２ｂの延出先端側（図示下端側）において半径方向外方に向かって拡径するように曲げ形成された押え板２２ｃが、上述した回り止め部材２１の内周側環状圧接部２１ｃに対して、図示上方側から接触するように配置されている。
【００２９】
また、上記押え部材２２の底部２２ａは、前述したロータ部材１４に設けられたミラー固定用胴部１４ｄの図示最上端面に当接するように載置されているとともに、上記押え部材２２の底部２２ａの中心部分に貫通形成された取付穴２２ｄ内に、一本の固定用ネジ２３の雄ネジ部２３ａが挿通されている。その固定ネジ２３の雄ネジ部２３ａは、上述した押え部材２２の取付穴２２ｄを軸方向に貫通した後に、前記ミラー固定用胴部１４ｄの中心位置に軸方向に貫通するように螺設された雌ねじ部１４ｅに螺着されており、その固定ネジ２３の締め付け力によって、上述した押え部材２２が軸方向（図示下方向）に押し付けられるようになっている。
【００３０】
このように固定ネジ２３による押え部材２２に対する軸方向の押圧力は、当該押え部材２２の押え板２２ｃを通して上述した回り止め部材２１の内周側環状圧接部２１ｃ側に伝達され、その回り止め部材２１の内周側環状圧接部２１ｃが、偏向ポリゴンミラー１８の図示上面側に対して面状に圧接されることとなる。そして、その回り止め部材２１の面状の圧接力によって、偏向ポリゴンミラー１８が、上述したロータ部材１４のミラー装着用胴部１４ｃの図示上端受け面に対して軸方向に押し付けられ、その軸方向押圧力によって偏向ポリゴンミラー１８の固定が行われるようになっている。
【００３１】
このような構成を有する本実施形態にかかるモータの回転体固定装置においては、押え部材２２と偏向ポリゴンミラー１８との間に介在された回り止め部材２１が、ロータ部材１４側に対して圧入によって固定されていることから、もし仮に、固定用ネジ２３を締め付けたことによって押え部材２２が固定用ネジ２３と共に連れ回って回転することがあっても、回り止め部材２１は、常時不動状態に維持されることとなる。従って、その回り止め部材２１に圧接する偏向ポリゴンミラー１８の回転移動も確実に防止され、当該偏向ポリゴンミラー１８には位置ズレを生じることがない。
【００３２】
本実施形態のように、回転体が偏向ポリゴンミラー１８である場合には、偏向ポリゴンミラー１８の固定精度が特に必要になってくるが、上述したように、回り止め部材２１によって偏向ポリゴンミラー１８が精度良く固定されることによって極めて良好な作用が得られる。
【００３３】
また、本実施形態では、回り止め部材２１に、バランス部材を取り付ける外周側環状平面部２１ｅが設けられているとともに、その外周側環状平面部２１ｅの外周側部分には、上記バランス部材の飛散を防止するフランジ状の環状立壁部２１ｆが設けられていることから、接着剤等からなるバランス部材の装着が容易に行われるとともに、装着後の飛散が確実に防止されるようになっている。
【００３４】
一方、本実施形態では、固定用ネジ２３が、ロータ部材１４の回転中心軸に沿って螺着された１本の固定ネジを有することから、固定作業が極めて容易に行われる反面、偏向ポリゴンミラー１８が固定用ネジ２３の締め方向に回転し易くなってしまう。しかしながら、上述したように回り止め部材２２が常時不動状態に維持されるこにとよって偏向ポリゴンミラー１８の回転移動が確実に防止されることから、１本の固定ネジを用いる場合であっても極めて良好な作用が得られる。
【００３５】
さらに、本実施形態にかかるモータの回転体固定装置では、回転体としての偏向ポリゴンミラー１８が３００００ｒｐｍ以上の高速回転数で駆動されるように構成されているが、そのように回転体が高速回転される場合には、回転体の固定精度が特に必要になってくるが、上述したように、回り止め部材２１によって回転体としての偏向ポリゴンミラー１８が精度良く固定されることから、この場合においても極めて良好な作用が得られる。
【００３６】
また、回転体としての偏向ポリゴンミラー１８が高速回転される場合には、装着されたバランス部材が、回転遠心力によって半径方向外方に飛散しやすくなるが、上述したように回り止め部材２１には、外周側環状平面部２１ｅ及び環状立壁部２１ｆが設けられているため、そのようなバランス部材の飛散は確実に防止される。
【００３７】
さらに、図３に示されている実施形態では、回り止め部材２１をコイルバネ３０を介して押圧しており、図４に示されている実施形態では、回り止め部材２１をサラバネ４０を介して押圧している。このような各実施形態においても、上述した実施形態と同様な作用・効果が得られる。
【００３８】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００３９】
例えば、上述した各実施形態は、偏向ポリゴンミラーを駆動する動圧軸受装置を用いたモータに対して本発明を適用したものであるが、その他の多種多様なモータ、及び動圧軸受装置を用いていないモータに対しても本発明は同様に適用することができる。
【００４０】
【発明の効果】
以上述べたように、本発明の請求項１にかかるモータの回転体固定装置は、押え部材と回転体との間に介在させた回り止め部材を、ロータ部材側に対して適宜の固定手段により固定し、固定用ネジ手段を締め付けたことによって押え部材が固定用ネジ手段と共に連れ回って回転することがあっても回り止め部材を不動状態に維持し、その回り止め部材に圧接する回転体の回転移動を確実に防止し、当該回転体の位置ズレを生じることがないようにしたものであるから、簡易かつ低廉な構成によって回転体の固定を良好に行わせることができ、回転体固定装置の信頼性を大幅に高めることができる。
【００４１】
また、本発明の請求項２にかかるモータの回転体固定装置は、上記請求項１における回り止め部材に、バランス部材を取り付ける環状平面部を設け、その環状平面部の外周側部分に、上記バランス部材の飛散を防止する環状立壁部を設けたことによって、接着剤等からなるバランス部材の装着を容易化するとともに、装着後の飛散を確実に防止させるようにしたものであるから、上述した効果に加えて、バランス部材の装着性を良好にすることができる。
【００４２】
さらに、本発明の請求項３にかかるモータの回転体固定装置は、上記請求項１における固定用ネジ手段が、ロータ部材の回転中心軸に沿って螺着された１本の固定ネジを有している場合でも、回り止め部材が不動状態に維持して回転体の回転移動を確実に防止したものであるから、上述した効果に加えて、１本の固定ネジを用いた場合の良好な作業性を維持することができる。
【００４３】
さらにまた、本発明の請求項４にかかるモータの回転体固定装置は、上記請求項１における押え部材を略皿形状に形成して、簡易な固定構造とすることを可能としたものであるから、上述した効果を簡易な構造で得ることができる。
【００４４】
一方、本発明の請求項５にかかるモータの回転体固定装置は、上記請求項１における回り止め部材をロータ部材側に圧入により固定して、回り止め部材を簡易な固定手段によって良好に固定するようにしたものであるから、上述した効果を簡易な構造で得ることができる。
【００４５】
また、本発明の請求項６にかかるモータの回転体固定装置は、上記請求項１における回り止め部材の圧入部に、圧入方向の前端部分に拡径するように開口するテーパ状ガイド部を設けたことにより、回り止め部材を圧入するにあたって、テーパ状ガイド部による案内作用によって回り止め部材を容易かつ高精度に挿通させるようにしたものであるから、上述した効果に加えて、生産性を向上させることができる。
【００４６】
さらに、本発明の請求項７にかかるモータの回転体固定装置は、上記請求項１における回り止め部材の回転体側に圧接する部分から外周側の部分を、ロータ部材側に対して軸方向に離間し適宜の隙間をなして延在していることによって、回り止め部材の着脱などに用いられる治具を、隙間を利用して容易に使用されるようにしたものであるから、上述した効果に加えて、生産性の向上を図ることができる。
【００４７】
さらにまた、本発明の請求項８にかかるモータの回転体固定装置は、上記請求項１における回転体が３００００ｒｐｍ以上の高速回転数で駆動されるように構成し、回り止め部材によって回転体を精度良く固定したものであるから、特に回転体が高速回転される場合において極めて良好な効果を得ることができる。
【００４８】
また、本発明の請求項９にかかるモータの回転体固定装置は、上記請求項１乃至請求項８のいずれかにおける回転体が光学的偏向装置の偏向ポリゴンミラーであって、回り止め部材によって偏向ポリゴンミラーを精度良く固定したものであるから、偏向ポリゴンミラーの固定を極めて良好に行うことができる。
【図面の簡単な説明】
【図１】本発明を光偏向装置の偏向ポリゴンミラー駆動用モータに適用した場合の実施形態を表した部分半断面説明図である。
【図２】図１に示された光偏向装置の偏向ポリゴンミラー駆動用モータの要部を拡大して表した半断面説明図である。
【図３】本発明の他の実施形態におけるモータの回転体固定装置の構造を表した半断面説明図である。
【図４】本発明の更に他の実施形態におけるモータの回転体固定装置の構造を表した半断面説明図である。
【図５】一般の光偏向装置における偏向ポリゴンミラー駆動用モータの一例を表した部分半断面説明図である。
【符号の説明】
１３　回転軸
１４　ロータ部材
１４ａ　中心ボス部
１４ｂ　ロータケース本体部
１４ｃ　ミラー装着用胴部
１４ｄ　ミラー固定用胴部
１５　ステータコア
１７　ロータマグネット
１８　偏向ポリゴンミラー（回転体）
２０　回転体固定装置
２１　回り止め部材
２１ａ　圧入用フランジ部
２１ｂ　テーパ状ガイド部
２１ｃ　内周側環状圧接部
２１ｄ　段差
２１ｅ　外周側環状平面部
２１ｆ　環状立壁部
２２　押え部材
２２ｃ　押え板
２３　固定ネジ
【図１】
2004104972.tif 000003
【図２】
2004104972.tif 000004
【図３】
2004104972.tif 000005
【図４】
2004104972.tif 000006
【図５】
2004104972.tif 000007